(57)【要約】【課題】挿入されたカードを一定の位置に保持できると共に、カードを無理に抜去された時に受けるダメージを軽微なものとできるカード用コネクタを提供する。【解決手段】複数の端子２が装着された絶縁ハウジング３と、カバー部材４とを備え、複数の端子２と接続されるカード１を受け入れるカード受入空洞５がカバー部材４で覆われている。カード受入空洞５に挿入されたカード１に係合し、カード１の抜去方向の移動を防止するロック片４４がカバー部材４に設けられていると共に、カード受入空洞５に対してカード１を抜去する為のカードイジェクト機構が設けられており、カードイジェクト機構がカード１を抜去する動作の際に、カードイジェクト機構のピン部材８がロック片４４とカード１の係合を解除させる。【選択図】　図１
2004031205.tif 000002
【特許請求の範囲】
【請求項１】
複数の端子（２）が装着された絶縁ハウジング（３）と、カバー部材（４）とを備え、前記複数の端子（２）と接続されるカード（１）を受け入れるカード受入空洞（５）の少なくとも一部が前記カバー部材（４）で覆われているカード用コネクタにおいて、
前記カード受入空洞（５）に挿入され、端子（２）と接続されたカード（１）に係合し、カード（１）の抜去方向の移動を防止するロック片（４４）が前記カバー部材（４）に設けられていることを特徴とするカード用コネクタ。
【請求項２】
複数の端子（２）が装着された絶縁ハウジング（３）と、カバー部材（４）とを備え、前記複数の端子（２）と接続されるカード（１）を受け入れるカード受入空洞（５）の少なくとも一部が前記カバー部材（４）で覆われているカード用コネクタにおいて、
前記カード受入空洞（５）に挿入され、端子（２）と接続されたカード（１）に係合し、カード（１）の抜去方向の移動を防止するロック片（４４）が前記カバー部材（４）に設けられていると共に、
前記カード受入空洞（５）に対してカード（１）を抜去する為のカードイジェクト機構が設けられており、
カードイジェクト機構がカード（１）を抜去する動作の際に、カードイジェクト機構の構成部材が前記ロック片（４４）とカード（１）の係合を解除させる構成としたことを特徴とするカード用コネクタ。
【請求項３】
前記カードイジェクト機構は、
前記カード受入空洞（５）に、カード（１）と共にカード（１）の挿入・抜去の方向に移動可能に設けられたスライダ（６）と、
スライダ（６）をカード（１）の抜去方向に付勢するバネ部材（７）と、
スライダ（６）に形成されたハートカム溝（６２）と係合するピン部材（８）とで構成されるプッシュ／プッシュ構造のカードイジェクト機構とされ、
前記スライダ（６）がカード（１）を抜去方向に移動させる時に、ハートカム溝（６２）と係合しているピン部材（８）が前記ロック片（４４）のカード（１）との係合を解除させる請求項２に記載のカード用コネクタ。
【請求項４】
カバー部材はメタルシェル（４）とされ、カード（１）の側縁部に形成された切欠係合部（１４）と対向する位置にロック片（４４）が片持梁状に打ち抜かれて設けられている請求項１〜３の何れか１項に記載のカード用コネクタ。
【請求項５】
ロック片（４４）は、カード（１）の切欠係合部（１４）と係合する係合突部（４４４）と、プッシュ／プッシュ構造のカードイジェクト機構のピン部材（８）と係合可能に対向する操作片（４４３）を備えている請求項４に記載のカード用コネクタ。
【請求項６】
ロック片（４４）の係合突部（４４４）は、カード（１）の切欠係合部（１４）の縁と係合する肩部（４４５）と、肩部（４４５）に連続するテーパー縁（４４６）とで画成されている請求項５に記載のカード用コネクタ。
【発明の詳細な説明】
【０００１】
【発明の属する技術分野】
この発明は、ＳＤ（ｓｑｕａｒｅ　ｄｉｇｉｔａｌ）カード、ＩＣカードなどのカード状媒体を挿入して接続できるようにしたカード用コネクタに関する。
【０００２】
【従来の技術】
従来、携帯電話、ＰＤＡ（ｐｅｒｓｏｎａｌ　ｄｉｇｉｔａｌ　ａｓｓｉｓｔａｎｃｅ）、デジタルカメラ等の電子機器では、機器内の回路とＳＤカード、ＭＭＣ（ｍｕｌｔｉ　ｍｅｄｉａ　ｃａｒｄ）カード、ＩＣカードなどのカード状の媒体を接続する為にカード用コネクタが用いられている。
【０００３】
この種のカード用コネクタとして、複数の端子が装着された絶縁ハウジングと、カバー部材を備え、複数の端子と接続されるカードを受け入れるカード受入空洞の少なくとも一部が前記カバー部材で覆われた構造のものが知られている。カード受入空洞にカードを挿入するとカード側の接点と、端子に設けられてカード受入空洞に臨むようにしたコンタクト片が電気的に係合するようにしている。カード受入空洞に挿入されたカードは、手指で摘んで引き抜いたり、カード用コネクタに設けられたカードイジェクト機構を操作して抜去できるようにされている。
【０００４】
特開２００１−３５１７３５号公報には、複数の端子が装着された絶縁ハウジングと、コ字状に折曲成形されたメタルシェルとで、内部にカード受入空洞が画成されるケースを構成したカード用コネクタが開示されている。このカード用コネクタでは、カード受入空洞にカードと係合してカードと共に挿入・抜去の方向で移動するスライダが設けられている。スライダは、カードの抜去方向に付勢するコイルスプリングと共同してカードイジェクト機構を構成している。カード受入空洞に挿入されたカードは、カードの側縁部に形成した抜け止め用切欠部にスライダに片持梁状に設けたカード抜け止めアームの先端突起部を係合させると共に、スライダに前記メタルシェルに設けたストッパ部を係合させて、カードを一定の位置に保持できるようにしている。挿入したカードを抜去する時は、スライダとメタルシェルのストッパ部の係合を外し、コイルスプリングで付勢されているスライダの移動を介してカードを抜去方向に移動させるようにしている。
【０００５】
上記の如くのカード用コネクタのカードイジェクト機構としては、いわゆるプッシュ／プッシュ構造のカードイジェクト機構も知られている。カード受入空洞内に設けられた、カードと係合してカードと共に挿入・抜去の方向に移動可能としたスライダと、スライダを抜去方向に付勢するバネ部材と、スライダに形成したハートカム溝と係合するピン部材とで構成されるものである。カードを端子との接続位置まで挿入すると、カードと共に移動したスライダはハートカム溝と係合しているピン部材によってバネ部材の付勢力に拘わらず抜去方向への移動が拘束されて、カードが一定の位置に保持される。一定の位置に保持されているカードを僅かに挿入方向へ押し込むと、ピン部材の拘束が解除されて、スライダがバネ部材の付勢力によって抜去方向へ移動し、これによってカードが抜去されるようにしている。
【０００６】
【発明が解決しようとする課題】
ところで、カードイジェクト機構が設けられたカード用コネクタであっても、カードイジェクト機構を正しく操作することなく、カードを手指で摘んで強引に引き抜く誤った操作を皆無とすることは難しいと言わざるを得ない。前記のようなカード受入空洞にスライダを設け、挿入されたカードとスライダを係合させる構成としたカード用コネクタにおいて、このような誤った操作が行われた場合、大きなダメージを受けて、カード用コネクタの交換が必要となる問題点があった。
即ち、前記プッシュ／プッシュ構造のカードイジェクト機構を設けたカード用コネクタでは、ピン部材とスライダに形成したハートカム溝の係合部分が破壊されて、カードイジェクト機構が正常に機能しなくなるおそれがあった。
前記特開２００１−３５１７３５号公報で開示されたカード用コネクタも同様で、スライダと係合するようにしたメタルシェルのストッパ部が破壊されて、挿入されたカードを一定の位置に保持できなくなるおそれがあった。
【０００７】
この発明は斯かる問題点に鑑みてなされたもので、挿入されたカードを一定の位置に保持できると共に、カードを無理に抜去された時に受けるダメージを軽微なものとできるカード用コネクタを提供することを目的としている。
【０００８】
【課題を解決するための手段】
前記の目的のもとになされたこの発明の請求項１のカード用コネクタは、複数の端子が装着された絶縁ハウジングと、カバー部材とを備え、前記複数の端子と接続されるカードを受け入れるカード受入空洞の少なくとも一部が前記カバー部材で覆われているカード用コネクタにおいて、
前記カード受入空洞に挿入され、端子と接続されたカードに係合し、カードの抜去方向の移動を防止するロック片が前記カバー部材に設けられていることを特徴とするカード用コネクタである。
【０００９】
また、請求項２のカード用コネクタは、複数の端子が装着された絶縁ハウジングと、カバー部材とを備え、前記複数の端子と接続されるカードを受け入れるカード受入空洞の少なくとも一部が前記カバー部材で覆われているカード用コネクタにおいて、
前記カード受入空洞に挿入され、端子と接続されたカードに係合し、カードの抜去方向の移動を防止するロック片が前記カバー部材に設けられていると共に、
前記カード受入空洞に対してカードを抜去する為のカードイジェクト機構が設けられており、
カードイジェクト機構がカードを抜去する動作の際に、カードイジェクト機構の構成部材が前記ロック片とカードの係合を解除させる構成としたことを特徴とするカード用コネクタである。
【００１０】
請求項３のカード用コネクタは、前記イジェクト機構は、前記カード受入空洞に、カードと共にカードの挿入・抜去の方向に移動可能に設けられたスライダと、
スライダをカードの抜去方向に付勢するバネ部材と、
スライダに形成されたハートカム溝と係合するピン部材とで構成されるプッシュ／プッシュ構造のカードイジェクト機構とされ、
前記スライダがカードを抜去方向に移動させる時に、ハートカム溝と係合しているピン部材が前記ロック片のカードとの係合を解除させる請求項２に記載のカード用コネクタである。
【００１１】
請求項４のカード用コネクタは、カバー部材はメタルシェルとされ、カードの側縁部に形成された切欠係合部と対向する位置にロック片が片持梁状に打ち抜かれて設けられている請求項１〜３の何れか１項に記載のカード用コネクタである。
【００１２】
更に、請求項５のカード用コネクタは、ロック片は、カードの切欠係合部と係合する係合突部と、プッシュ／プッシュ構造のカードイジェクト機構のピン部材と係合可能に対向する操作片を備えている請求項４に記載のカード用コネクタである。
【００１３】
そして、請求項６のカード用コネクタは、ロック片の係合突部は、カードの切欠係合部の縁と係合する肩部と、肩部に連続するテーパー縁とで画成されている請求項５に記載のカード用コネクタである。
【００１４】
【作用】
上記のように構成されるこの発明のカード用コネクタによれば、カード受入空洞に挿入され、端子と接続されたカードに係合し、カードの抜去方向の移動を防止するロック片がカバー部材に設けられた構成であるので、カバー部材に設けたロック片によって挿入されたカードを一定の位置に保持することができる。また、このようにロック片によって保持されたカードを無理に引き抜いても、これによって受けるダメージをロック片の破壊に止め、他の部分に及ばないようにすることができる。
【００１５】
カードイジェクト機構がカード受入空洞に対して設けられた構成（請求項２、３）では、カードイジェクト機構にダメージを受けないようにすることができる。また、カードイジェクト機構がカードを抜去する動作の際に、カードイジェクト機構の構成部材がロック片とカードの係合を解除させる構成とすることで、カードとロック片の係合を解除する為の操作を不要にでき、カードを抜去する為の操作が繁雑にならないようにすることができる。
【００１６】
カバー部材をメタルシェルとして、カードの側縁部に形成された切欠係合部と対向する位置にロック片を片持梁状に打ち抜いて設ける（請求項４）と、ロック片としての個別の部材を不要とし、部品点数の増大を避けることができる。
【００１７】
カードイジェクト機構が設けられる場合、このロック片は、カードの切欠係合部と係合する係合突部と、プッシュ／プッシュ構造のカードイジェクト機構のピン部材と係合可能に対向する操作片を備えた構成（請求項５）とすると、カードイジェクト機構とロック片の連繋構造を合理的に構成でき、機構を簡素にすることができる。また、この係合突部は、カードの切欠係合部の縁と係合する肩部と、肩部に連続するテーパー縁とで画成されたものとする（請求項６）ことによって、カードを挿入した時にはロック片がカードに自動的に係合し、そして、カードを一定の位置に確実に保持できるようにすることができる。
【００１８】
【発明の実施の形態】
以下、この発明の実施形態を添付の図を参照して説明する。
【００１９】
実施形態のカード用コネクタは、ＳＤカード１を接続できるようにしたもので、図１、２のように構成されている。複数の端子２が装着された絶縁ハウジング３と、カバー部材を構成するメタルシェル４とを備えている。絶縁ハウジング３は、絶縁性のプラスチックを成形したもので、図３に示されているように、複数の端子２が装着されている本体部３１から互いに対向する一対の側壁部３２が前方（図１において上方）に延びていると共に、側壁部３２間に底板３３（図２参照）が設けられている。本体部３１の下面には、取付基板（図示せず）の取付穴に係合するようにした取付ボス３１１も設けられている。
【００２０】
メタルシェル４は、金属板を略逆Ｕ字状に折曲成形したもので、絶縁ハウジング３の本体部３１の上面を覆うと共に、側壁部３２間に張設される略方形の頂板部４１と、頂板部４１の両側縁から垂下して前記側壁部３２の外側を覆う側板部４２で構成されている。側板部４２の後方側には、絶縁ハウジング３の本体部３１の下面と面一となるように固定用タブ４３が外側に向けて設けてある。
【００２１】
上記のような絶縁ハウジング３とメタルシェル４によってＳＤカード１を受け入れるカード受入空洞５が前記側壁部３２間に形成されている。カード受入空洞５の上側は、メタルシェル４の頂板部４１によって覆われ、また、下側は絶縁ハウジング３の底板３３によって覆われている。絶縁ハウジング３の本体部３１に装着された端子２はカード受入空洞５に片持梁状となって臨むコンタクト片２１を有しており、ＳＤカード１がカード受入空洞５に挿入されると、ＳＤカード１の前端下面に設けられた接点１１とコンタクト片２１が係合して電気的に導通できるようにされている。また、カード受入空洞５に挿入されたＳＤカード１が動かないようにする為に、メタルシェル４の頂板部４１には、押さえ片４１１が打ち抜かれてあり、押さえ片４１１がＳＤカード１を底板３３側に押さえ付けるようにしてある。
【００２２】
ここで、ＳＤカード１の外形形状を説明すると、図９に示したように略方形の形状をしている。矢示Ａの挿入方向に見て左右の幅と、カード受入空洞５の幅が略等しくなっている。挿入方向Ａの長さは、カード受入空洞５の長さより長くなっている。ＳＤカード１の表裏を誤って挿入されるのを防止する為に、左右両側縁の下部に段部１２が全長に亘って設けられ、この形状に対応させて、前記絶縁ハウジング３の側壁部３２の内側下部には、図１に点線で表れているように、係合縁３２１がカード受入空洞５に突出するように形成されている。
【００２３】
ＳＤカード１の誤挿入防止の対策として、更に、挿入方向Ａにおいて前端の一方のコーナー部が斜切されて、斜切コーナー部１３とされている。この斜切コーナー部１３と対応させて前記カード受入空洞５には、図３に示されているように、スライダ６が設置してある。スライダ６は、絶縁ハウジング３の一方（図で左側）の側壁部３２に設けられて、側壁部３２に沿って、ＳＤカード１と共にカードの挿入・抜去の方向に移動できるようにされたもので、ＳＤカード１の斜切コーナー部１３に対応させた三角形状の係合突片６１が設けられ、この係合突片６１と斜切コーナー部１３が図３に示すように正しく係合した時のみ、ＳＤカード１がカード受入空洞５の最深部まで挿入でき、端子２のコンタクト片２１とＳＤカード１の接点１１が係合できるようにされている。
【００２４】
カード受入空洞５に、上記の如くＳＤカード１と係合して、ＳＤカード１と共に挿入・抜去の方向で移動するように設けられたスライダ６は、コイルスプリング７と、ピン部材８とで、カード受入空洞５に挿入されたＳＤカード１をイジェクトする為のプッシュ／プッシュ構造のカードイジェクト機構を構成している。コイルスプリング７はスライダ６をＳＤカード１の抜去方向に付勢しており、この付勢力によってスライダ６が移動すると、係合突片６１に係合したＳＤカード１も抜去方向に押し出すことができるようになっている。スライダ６の外側面には、図４に表れているように、ハートカム溝６２が設けられており、このハートカム溝６２にピン部材８の一端に設けたカムピン８１が係合し、カムピン８１の係合位置がハートカム溝６２に従って移動・循環するようにしてある。ピン部材８の他端は枢支ピン８２とされて絶縁ハウジング３の側壁部３２に係合させてあり、カムピン８１のハートカム溝６２との係合部の変化に応じて、ピン部材８が枢支ピン８２の回りで回動できるようになっている。
【００２５】
カード受入空洞５に挿入されたＳＤカード１を一定の位置に保持する為に、ＳＤカード１と係合するようにしたロック片４４が前記メタルシェル４の頂板部４１に設けられている。そして、このロック片４４とカードイジェクト機構の間で、ロック片４４とＳＤカード１の係合を解除する機構を構成している。
【００２６】
ロック片４４は、図５〜図８に示してあるように、メタルシェル４の頂板部４１内に、押さえ片４１１と同様に打ち抜いて形成したもので、片持梁状となっている。前記押さえ片４１１が無負荷状態で頂板部４１より下方、即ちカード受入空洞５に突出するようにされているのに対して、このロック片４４は無負荷状態で頂板部４１の面内にあるように打ち抜き成形されている。ロック片４４はビーム片４４１の先端、即ち自由端の外側に、短アーム４４２と長アーム４４３をそれぞれ略直角に連続させて、全体的に平面逆Ｌ字状の形状をしている。ビーム片４４１の基端がメタルシェル４の頂板部４１に連続しており、自由端がカード受入空洞５の挿入口５１の方向に向いて延びている。
【００２７】
短アーム４４２の先端には、係合突部４４４が垂下させて設けてある。この係合突部４４４は垂直の肩部４４５と、この肩部４４５に連続するテーパー縁４４６で画成されて略三角形の形状をしている。また、長アーム４４３は、平面略Ｌ字状の形状とされ、その先端から略方形の突片４４７が垂下させて設けてある。短アーム４４２および長アーム４４３の長さは、短アーム４４２の先端に垂下させた係合突部４４４が、カード受入空洞５に突出して、カード受入空洞５に挿入されたＳＤカード１の側縁部と対向し、長アーム４４３の先端に垂下させた突片４４７は、カードイジェクト機構を構成したピン部材８の連結ビーム８３と対向するような長さ関係となっている。そして、カード受入空洞５に突出した係合突部４４４は、カード受入空洞５にＳＤカード１が挿入されて、その接点１１と端子２のコンタクト片２１が係合する位置まで来ると、ＳＤカード１の側縁部に形成されている切欠係合部１４（図９）に突入し、前記肩部４４５と切欠係合部１４の縁が対向して係合できるようにされている。
【００２８】
次に、上記のように構成されたカード用コネクタにＳＤカード１を挿入および抜去する時の動作を説明する。ＳＤカード１の挿入は、表裏および前後の方向を正しくして、カード受入空洞５に挿入するべきことは言うまでもない。ＳＤカード１を正しく挿入すると、斜切コーナー部１３とスライダ６の係合突片６１が係合して、スライダ６も挿入方向、即ち後方にＳＤカード１と共に移動し、コイルスプリング７は圧縮されて弾発力を蓄積していくことになる。挿入の途中で、ＳＤカード１の先端縁が前記ロック片４４の短アーム４４２に設けた係合突部４４４のテーパー縁４４６と衝合するので、テーパー縁４４６に従ってロック片４４は上側に弾性変形させられ、係合突部４４４がＳＤカード１の上面に乗り上げるようになる。ＳＤカード１の先端面がカード受入空洞５を画成している絶縁ハウジング３の本体部３１に当たるまで挿入すると、端子２のコンタクト片２１とＳＤカード１の接点１１が係合し、挿入したＳＤカード１の接続を完了することができる。また、ＳＤカード１の切欠係合部１４が係合突部４４４と丁度対向することとなり、ロック片４４の復元力で係合突部４４４が切欠係合部１４内に突入し、肩部４４５が切欠係合部１４の縁と対向することになる。
【００２９】
このようにしてＳＤカード１を挿入して、ＳＤカード１に加えた挿入力を除くと、コイルスプリング７の蓄積された弾発力でスライダ６が挿入方向と反対の抜去方向へ移動することになるが、プッシュ／プッシュ構造のカードイジェクト機構を構成したハートカム溝６２とピン部材８のカムピン８１の係合関係で、スライダ６およびＳＤカード１が僅かに抜去方向へ移動した所で停止する。図１は、この僅かに抜去方向に移動した状態を表しており、そして、図１０はこの時のピン部材８と前記ロック片４４の長アーム４４３に垂下させて設けた突片４４７の部分を拡大して示し、図１１は、ＳＤカード１の切欠係合部１４とロック片４４の短アーム４４２に垂下させて設けた係合突部４４４の部分を拡大して示している。
【００３０】
図１０を参照して説明すると、ハートカム溝６２の停止溝部分６２１にカムピン８１が係合して、ピン部材８の連結ビーム８３が略水平の状態となり、この略水平の連結ビーム８３の上側に僅かの間隙を挟んで前記長アーム４４３から垂下している突片４４７の下端が対向する。また、図１１を参照して説明すると、短アーム４４２から垂下している係合突部４４４がＳＤカード１の切欠係合部１４に突入して、肩部４４５と切欠係合部１４の縁が係合している。
【００３１】
ＳＤカード１は、スライダ６を介してコイルスプリング７の弾発力で抜去方向に付勢される一方で、ロック片４４に設けた係合突部４４４の肩部４４５と切欠係合部１４の縁がこのように係合しているので、カード受入空洞５に挿入して接続したＳＤカード１は一定の位置に保持されて、接点１１と端子２のコンタクト片２１の係合状態が維持され、接続状態が安定に保持される。
【００３２】
カードイジェクト機構によることなく、ＳＤカード１のカード受入空洞５から外部に出ている部分を摘んで強引に引き抜かれた場合には、前記係合突部４４４の肩部４４５と切欠係合部１４の係合が対抗し、引き抜きを防止する。引き抜きの力が係合突部４４４と切欠係合部１４の摩擦係合による保持力を越える場合には、ロック片４４が上側に弾性変形して係合が外れ、ＳＤカード１のみが引き抜かれることになる。また、係合突部４４４と切欠係合部１４の摩擦係合が外れない最悪の場合でも、ロック片４４の変形や破損に止めることができる。スライダ６のハートカム溝６２とピン部材８のカムピン８１の係合部分には、この無理な引き抜き力は一切伝達されないので、カードイジェクト機構を破壊から守ることができる。
【００３３】
ＳＤカード１をカードイジェクト機構を介して抜去する様子を示しているのが図１２〜図１９である。ＳＤカード１の抜去は、コイルスプリング７の弾発力で抜去方向に僅かに移動して停止しているＳＤカード１を、再び挿入方向へ押し込むことで行われる。図１２〜図１５は、この再押し込みした時の状態を示している。ＳＤカード１を先端面が絶縁ハウジング３の本体部３１に当たるまで押し込むと、ハートカム溝６２の停止溝部分６２１と係合していたカムピン８１が、図１４に示されているように、ハートカム溝６２の上側部分を構成する抜去溝部分６２２と係合するように変化する。この為、ピン部材８は枢支ピン８２の回りで反時計回りの方向で回動することとなり、連結ビーム８３と対向している突片４４７を押し上げることになる。したがって、ロック片４４は、突片４４７を設けた長アーム４４３を介して上側に弾性変形させられ、短アーム４４２に設けた係合突部４４４はＳＤカード１の切欠係合部１４から、図１５のように脱出し、肩部４４５の係合が解除される。突片４４７を設けた長アーム４４３がロック片４４の操作片を構成しているのである。
【００３４】
ＳＤカード１に対する上記の如くの再押し込みの力を除くと、コイルスプリング７の弾発力がスライダ６を抜去方向に付勢して移動させ、かつ、ＳＤカード１も抜去方向に移動させる。ピン部材８のカムピン８１は、図１８のようにハートカム溝６２の抜去溝部分６２２との係合関係を維持するので、ロック片４４は操作片、即ち、長アーム４４３を介して押し上げられた状態のままであり、ＳＤカード１の切欠係合部１４は、図１９のように、ロック片４４の係合突部４４４と係合することなく、挿入口５１の方向に移動していく。
【００３５】
尚、前記絶縁ハウジング３の本体部３１には、ＳＤカード１の接点１１と係合する端子２の外に、特に図３に明瞭に表れているような、ＳＤカード１の挿入を検知する為の端子２Ａ、２Ｂと、ＳＤカード１のライトプロテクトスライダの状態を検知する為の端子２Ｃ、２Ｄも装着されている。端子２Ａ、２Ｂは、ＳＤカード１の先端面と対向するように装着されて、スイッチを構成している。端子２Ａ、２Ｂは、図３では、ＳＤカード１の先端面で押されて負荷がかかった時の形状で示してあり、図１、１２、１６では、ＳＤカード１の先端面で押されていない無負荷の時の形状で示してある。また、端子２Ｃ、２Ｄは、ＳＤカード１の側縁部に設けたライトプロテクトスライダ１５と対向するように装着されてスイッチを構成している。ライトプロテクトスライダ１５が、ＳＤカード１の側縁に沿って端子２Ｃと対向する位置と対向しない位置の間を移動可能となっており、端子２Ｃ、２Ｄで構成したスイッチで、ライトプロテクトスライダ１５の状態（位置）を検知するようにしている。
【００３６】
【発明の効果】
以上に説明の通り、この発明によれば、カード受入空洞を覆っているカバー部材にロック片を設け、このロック片をカードに直接係合させて抜去方向の移動を防止する構成としたので、カードの接続状態を安定に維持できると共に、カードが無理に引き抜かれた時に受けるダメージを軽微にできる効果がある。
【図面の簡単な説明】
【図１】この発明を実施したカード用コネクタの平面図で、ＳＤカードが接続されている時の状態を表している。
【図２】図１のカード用コネクタの挿入口側から見た正面図である。
【図３】図１のカード用コネクタのメタルシェルを除いて示した平面図である。
【図４】同じくメタルシェルを除いて示した右側面図である。
【図５】図１のカード用コネクタを構成したメタルシェルの平面図である。
【図６】メタルシェルの頂板部に設けたロック片の拡大平面図である。
【図７】図６のロック片の右側面図である。
【図８】図６のロック片の正面図である。
【図９】図１のカード用コネクタに挿入して接続されるＳＤカードの斜視図である。
【図１０】図１のカード用コネクタの、ロック片とカードイジェクト機構の部分の関係を表している拡大側面図である。
【図１１】同じく図１のカード用コネクタの、ロック片とＳＤカードの切欠係合部の関係を表している拡大側面図である。
【図１２】図１のカード用コネクタに挿入されたＳＤカードを抜去する時の途中の状態を表している平面図である。
【図１３】同じくＳＤカードを抜去する時の途中の状態を表している右側面図である。
【図１４】同じくＳＤカードを抜去する時の途中の状態における、ロック片とカードイジェクト機構の部分の関係を表している拡大側面図である。
【図１５】同じくＳＤカードを抜去する時の途中の状態における、ロック片とＳＤカードの切欠係合部の関係を表している拡大側面図である。
【図１６】ＳＤカードが図１２の状態から更に抜去された状態を表している平面図である。
【図１７】同じくＳＤカードが図１２の状態から更に抜去された状態を表している右側面図である。
【図１８】同じくＳＤカードが図１２の状態から更に抜去された状態における、ロック片とカードイジェクト機構の部分の関係を表している拡大側面図である。
【図１９】同じくＳＤカードが図１２の状態から更に抜去された状態における、ロック片とＳＤカードの切欠係合部の関係を表している拡大側面図である。
【符号の説明】
１　　　　　　ＳＤカード
１１　　　　　接点
１２　　　　　段部
１３　　　　　斜切コーナー部
１４　　　　　切欠係合部
１５　　　　　ライトプロテクトスライダ
２　　　　　　端子
２１　　　　　コンタクト片
２Ａ、２Ｂ　　端子
２Ｃ、２Ｄ　　端子
３　　　　　　絶縁ハウジング
３１　　　　　本体部
３２　　　　　側壁部
３３　　　　　底板
３１１　　　　取付ボス
３２１　　　　係合縁
４　　　　　　メタルシェル
４１　　　　　頂板部
４２　　　　　側板部
４３　　　　　固定用タブ
４１１　　　　押さえ片
４４　　　　　ロック片
４４１　　　　ビーム片
４４２　　　　短アーム
４４３　　　　長アーム
４４４　　　　係合突部
４４５　　　　肩部
４４６　　　　テーパー縁
４４７　　　　突片
５　　　　　　カード受入空洞
５１　　　　　挿入口
６　　　　　　スライダ
６１　　　　　係合突片
６２　　　　　ハートカム溝
６２１　　　　停止溝部分
６２２　　　　抜去溝部分
７　　　　　　コイルスプリング
８　　　　　　ピン部材
８１　　　　　カムピン
８２　　　　　枢支ピン
８３　　　　　連結ビーム
【図１】
2004031205.tif 000003
【図２】
2004031205.tif 000004
【図３】
2004031205.tif 000005
【図４】
2004031205.tif 000006
【図５】
2004031205.tif 000007
【図６】
2004031205.tif 000008
【図７】
2004031205.tif 000009
【図８】
2004031205.tif 000010
【図９】
2004031205.tif 000011
【図１０】
2004031205.tif 000012
【図１１】
2004031205.tif 000013
【図１２】
2004031205.tif 000014
【図１３】
2004031205.tif 000015
【図１４】
2004031205.tif 000016
【図１５】
2004031205.tif 000017
【図１６】
2004031205.tif 000018
【図１７】
2004031205.tif 000019
【図１８】
2004031205.tif 000020
【図１９】
2004031205.tif 000021